(57)【要約】 【課題】  保持アームの円滑な撓み変形動作を保障する。【解決手段】  ハウジング１０におけるリテーナ装着孔２４の孔壁には、仮係止用及び本係止用の受け部２６，２７が形成され、このうち本係止用の受け部２７が、仮係止用の受け部２６よりもリテーナ３０の差し込み方向の前方に配置されている。リテーナ３０には、片持ち状の仮係止用及び本係止用の保持アーム３５Ａ，３５Ｂが撓み可能に形成され、両保持アーム３５Ａ，３５Ｂの自由端側に、両受け部２６，２７と弾性係合可能な係止部４１，４２が形成されている。本係止用の保持アーム３５Ａは、その支持端から自由端にかけてリテーナ３０の差し込み方向に延出する構成とされ、仮係止用の保持アーム３５Ｂは、その支持端から自由端にかけてリテーナ３０の差し込み方向と逆方向に延出する構成とされる。【選択図】  図１１
2006107820.tif 000002
【特許請求の範囲】
【請求項１】
ハウジングには端子金具を収容可能なキャビティが形成され、前記ハウジングの外壁面にはリテーナを差し込み可能なリテーナ装着孔が前記キャビティを横切って開口形成され、前記ハウジングにおける前記リテーナ装着孔の孔壁には、互いに対向する両内壁面の夫々に、仮係止用及び本係止用の受け部が形成され、
前記リテーナは、前記端子金具の挿抜を許容する仮係止位置と前記キャビティに収容された端子金具を抜け止め状態に保持する本係止位置との間を移動可能とされ、かつ、前記リテーナには、一端が支持端とされるとともに他端が自由端とされた片持ち状の仮係止用及び本係止用の保持アームが撓み可能に形成され、両保持アームの自由端側には、前記仮係止位置及び前記本係止位置にて前記両受け部の夫々と弾性係合可能な仮係止用及び本係止用の係止部が形成されているコネクタにおいて、
前記仮係止用及び本係止用の受け部のうちのいずれか一方は、他方よりも前記リテーナの差し込み方向の前方に配置されており、前記両保持アームのうち前記一方と係合可能な保持アームは、その支持端から自由端にかけて前記リテーナの差し込み方向に延出する構成とされ、前記他方と係合可能な保持アームは、その支持端から自由端にかけて前記リテーナの差し込み方向と逆方向に延出する構成とされることを特徴とするコネクタ。
【請求項２】
前記係止部は前記受け部側に突出する形態をなし、前記一方と係合可能な保持アームの係止部には、その自由端側に向かって肉厚を減少する方向に傾斜する移動案内面が備えられ、前記他方と係合可能な保持アームの係止部には、その自由端側に向かって肉厚を増加する方向に傾斜する移動案内面が備えられていることを特徴とする請求項１に記載のコネクタ。
【発明の詳細な説明】
【技術分野】
【０００１】
本発明は、リテーナを備えたコネクタに関する。
【背景技術】
【０００２】
リテーナを備えたコネクタとして、以下の特許文献１に記載のものが知られている。このものは、図１４に示すように、ハウジング１の一側面にリテーナ２を挿入可能なリテーナ差込口３を備え、このリテーナ差込口３にリテーナ２を差し込むことでハウジング１の内部に収容された端子金具（図示せず）を抜け止め状態で係止するようになっている。リテーナ差込口３の内壁面のうち図１４に示す右側面３Ａには、仮係止突部４が内側に突出して形成され、左側面３Ｂには、本係止突部５が内側に突出して形成されており、本係止突部５は、仮係止突部４よりも上位に配置されている。リテーナ２は、基部６の幅方向両端から上方に突出する撓み可能な一対の保持アーム７を備え、このうち図１４に示す右側に配された仮係止用の保持アーム７Ａの上端に、仮係止突部４と抜け止め状態で弾性係合可能な仮係止突起８が形成され、左側に配された本係止用の保持アーム７Ｂの上端に、本係止突部５と抜け止め状態で弾性係合可能な本係止突起９が形成されている。リテーナ２は、仮係止位置と本係止位置との間を移動可能とされ、仮係止突起８と仮係止突部４との係合に基づいて仮係止位置に留め置かれる一方、本係止突起９と本係止突部５との係合に基づいて本係止位置に留め置かれるようになっている。
【特許文献１】特開２００２−７５５０８公報
【発明の開示】
【発明が解決しようとする課題】
【０００３】
ところで、上記の場合には、仮係止突部４の配設位置が本係止突部５の配設位置よりも下位にあることに起因し、仮係止用の保持アーム７Ａの突出長さが本係止用の保持アーム７Ｂの突出長さよりも短くなっていた。そうすると、ハウジング１がこれ以上に低背化した場合には、それに伴いリテーナ２の両保持アーム７も底背化するので、特に、仮係止用の保持アーム７Ａにおいて円滑な撓み変形動作を保障するのに十分な突出長さを確保し難くいという問題があった。
本発明は上記のような事情に基づいて完成されたものであって、保持アームの円滑な撓み変形動作を保障することを目的とする。
【課題を解決するための手段】
【０００４】
上記の目的を達成するための手段として、請求項１の発明は、ハウジングには端子金具を収容可能なキャビティが形成され、前記ハウジングの外壁面にはリテーナを差し込み可能なリテーナ装着孔が前記キャビティを横切って開口形成され、前記ハウジングにおける前記リテーナ装着孔の孔壁には、互いに対向する両内壁面の夫々に、仮係止用及び本係止用の受け部が形成され、前記リテーナは、前記端子金具の挿抜を許容する仮係止位置と前記キャビティに収容された端子金具を抜け止め状態に保持する本係止位置との間を移動可能とされ、かつ、前記リテーナには、一端が支持端とされるとともに他端が自由端とされた片持ち状の仮係止用及び本係止用の保持アームが撓み可能に形成され、両保持アームの自由端側には、前記仮係止位置及び前記本係止位置にて前記両受け部の夫々と弾性係合可能な仮係止用及び本係止用の係止部が形成されているコネクタにおいて、前記仮係止用及び本係止用の受け部のうちのいずれか一方は、他方よりも前記リテーナの差し込み方向の前方に配置されており、前記両保持アームのうち前記一方と係合可能な保持アームは、その支持端から自由端にかけて前記リテーナの差し込み方向に延出する構成とされ、前記他方と係合可能な保持アームは、その支持端から自由端にかけて前記リテーナの差し込み方向と逆方向に延出する構成とされるところに特徴を有する。
【０００５】
請求項２の発明は、請求項１に記載のものにおいて、前記係止部は内向きに突出する形態をなし、前記両受け部の一方と係合可能な保持アームの係止部には、その自由端側に向かって肉厚を減少する方向に傾斜する移動案内面が備えられ、前記両受け部の他方と係合可能な保持アームの係止部には、その自由端側に向かって肉厚を増加する方向に傾斜する移動案内面が備えられているところに特徴を有する。
【発明の効果】
【０００６】
＜請求項１の発明＞
リテーナは仮係止位置と本係止位置との間を移動可能とされ、その移動の完了に伴い、仮係止用及び本係止用の両保持アームが夫々対応する受け部に抜け止め状態で弾性係止される。この場合に、両受け部のうちのいずれか一方が他方よりもリテーナの差し込み方向の前方に配置されており、両保持アームのうち一方と係合可能な保持アームがその支持端から自由端にかけてリテーナの差し込み方向に延出する構成とされ、他方と係合可能な保持アームがその支持端から自由端にかけてリテーナの差し込み方向と逆方向に延出する構成とされるから、従来のように両保持アームが共にリテーナの差し込み方向に延出する場合と比べ、他方と係合可能な保持アームにおいても十分な延出長さを確保することが可能となる。その結果、両保持アームの円滑な撓み変形動作が保障される。
【０００７】
＜請求項２の発明＞
一方と係合可能な保持アームの係止部にはその自由端側に向かって肉厚を減少する方向に傾斜する移動案内面が備えられ、他方と係合可能な保持アームの係止部にはその自由端側に向かって肉厚を増加する方向に傾斜する移動案内面が備えられるから、かかる移動案内面に沿ったリテーナの移動によって両保持アームの円滑な撓み変形動作がより確実に保障される。
【発明を実施するための最良の形態】
【０００８】
＜実施形態１＞
本発明の実施形態１を図１ないし図１３によって説明する。本実施形態に係るコネクタは、雄コネクタと嵌合可能な雌コネクタを例示しており、ロックアーム１２とリテーナ３０とを備えて構成されている。なお、以下の説明においては、両コネクタにおける互いの嵌合面側を前方として説明する。
【０００９】
雌コネクタは、合成樹脂製のハウジング１０を備え、このハウジング１０は、図１に示すように、横長のブロック状に形成されている。ハウジング１０の内部には、雌端子金具６０（図１３の（Ａ）及び（Ｂ）において破線で示す部分）を収容する複数のキャビティ１１が、上下二段に分かれ、かつ上下で互い違いとなった配置で形成されている。
詳しくはキャビティ１１は、上段側に１８室、下段側に２２室が配されており、上段側ではさらに、ロックアーム１２を挟んで背面から見た左側に１０室、右側に８室が配されており、右側領域における右から５番目に相当する位置には、キャビティ１１が除去されたキャビティ潰し部１１Ｘが形成されている。下段側では、全幅に亘って並んで配されているが、左から５番目に相当する位置に、同様にキャビティ潰し部１１Ｘが形成されている。
両キャビティ潰し部１１Ｘが設けられた位置には、図３に示すように、前面に開口したガイド溝１３られており、両コネクタの嵌合時に、図示しない雄ハウジングに設けられたリブがガイド溝１３に沿って進入することで、こじりが防止されるようになっている。
【００１０】
雌端子金具６０は、図１３の（Ａ）及び（Ｂ）に示すように、相手の雄端子金具との接触を実現するための角筒状をなす本体部６１を備え、この本体部６１の後方に設けられたバレル６２をかしめることにより、電線Ｗの端末に固着されている。キャビティ１１は、その前壁に図示しない雄端子金具が挿入される端子挿入口１４が開口されているとともに、その底壁には、ランス１５が斜め前上方を向いた片持ち状で撓み変形可能に形成されている。雌端子金具６０は、キャビティ１１内に後方から挿入され、ランス１５を撓み変形させつつ押し込まれて正規位置に至ると、ランス１５が復元変形して本体部６１に設けられた係止突部６３に係止する。
【００１１】
ハウジング１０の上面における幅方向のほぼ中央位置には、前後方向を向いた凹溝１６が全長に亘って形成されており、この凹溝１６内に、ロックアーム１２が形成されている。ロックアーム１２は大まかには、前後方向に延出したアーム本体１２Ａと、アーム本体１２Ａの後端側において幅方向に張り出した解除操作部１２Ｂとから構成されている。
アーム本体１２Ａは、図６に示すように、凹溝１６の溝底の前端から立ち上がって後端付近まで折り返すようにして形成されており、立ち上がり部１２Ｅを支点として上下方向に弾性変位可能となっている。アーム本体１２Ａの上面における長さ方向の略中央部にはロック部１２Ｆが設けられている。アーム本体１２Ａのロック部１２Ｆは、図示しない雄ハウジングに設けられた被ロック部に係止可能であって、前面が後方へ向かって昇り勾配となったガイド面１２Ｇ、後面が切り立った係止面１２Ｈとされている。
【００１２】
解除操作部１２Ｂは、図１乃至図３に示すように、アーム本体１２Ａの後端（自由端）の上面において、アーム本体１２Ａと直交するように一体形成されている。詳しくは、幅方向（左右方向）の中央部分が押圧部１２Ｉとされ、この押圧部１２Ｉの後端側が一段高くなった高位部１２Ｊとされる。押圧部１２Ｉにおける高位部１２Ｊよりも手前側の左右の側縁からは、一対の腕部１２Ｋが突出して形成されている。
【００１３】
一方、ハウジング１０の上面には、上記した解除操作部１２Ｂの両側を挟むようにして左右一対の保護壁１７が立ち上がって形成されている。この保護壁１７は、解除操作部１２Ｂの手前側の面からハウジング１０の後面に至る領域に形成され、またその高さは、解除操作部１２Ｂの高位部１２Ｊよりも少し高い位置に設定されている。
解除操作部１２Ｂの両腕部１２Ｋは、突出端に向けて下り勾配となった傾斜姿勢で形成されており、各腕部１２Ｋの突出端は、対応する保護壁１７の内面における手前側の下部位置に連結されている。言い換えると、解除操作部１２Ｂは、全体としてはアーチ状に形成され、両腕部１２Ｋの突出端と保護壁１７との連結部１２Ｌを支点として、上下方向に弾性変位可能となっている。したがって、ロックアーム１２全体としては、３点支持構造となっている。
【００１４】
保護壁１７の上端における奥側の上端部から、一対の規制壁１８が互いに向き合うようにして水平姿勢で形成されている。規制壁１８は、上面が腕部１２Ｋの基端側よりも高い位置で水平に形成されているとともに、下面が基端側に向けて下り勾配となり、次第に厚肉とされて補強されている。また、規制壁１８は、上下方向においては、腕部１２Ｋの上方に位置しながらも、前後方向においては、腕部１２Ｋから離れた後方に位置している。このように腕部１２Ｋと規制壁１８とが前後方向に分離していることで、成形型の構造の簡略化を図っている。
【００１５】
ハウジング１０における下面側、つまりロックアーム１２が形成された側と反対側の面には、その後端側における幅方向の中央部に、やや厚肉の壁状をなす指掛部１９が突出形成されている。この指掛部１９は、ハウジング１０を図示しない雄ハウジングに対して嵌合・離脱する際に、作業者が指を掛けることに用いるものであって、保護壁１７の間隔よりも若干広い幅寸法と、保護壁１７の半分程度の高さ寸法を有している。
【００１６】
そして、ハウジング１０の後面には、キャビティ１１の位置を作業者に視認させるための各種目印が形成されている。
第１の目印２１は、指掛部１９に形成されている。この目印２１は、指掛部１９を前後に貫通する貫通孔として構成され、図示３個が間隔をあけて配置されている。この目印２１は、角に丸みを付けた横長の長方形に形成されており、特に左右の縦縁がほぼ直線状とされているところに特徴がある。各目印２１は、背面から見た左側縁が、上段側の特定のキャビティ１１の入り口における左側縁とほぼ整合し、また右側縁が、下段側の特定のキャビティ１１の入り口における右側縁とほぼ整合するように形成されている。
【００１７】
上記した指掛部１９自身の左右の側縁も、第２の目印２２として使用される。この左右の側縁も直線状であって、例えば、左側の目印２２が、上段側の特定のキャビティ１１の入り口における左側縁とほぼ整合し、右側の目印２２が、下段側の特定のキャビティ１１の入り口における右側縁とほぼ整合するように形成されている。なお、キャビティ潰し部１１Ｘも、それ自体が目印となり得るが、その後面にも改めて凹部等の第３の目印２３が形成されている。
【００１８】
また、ハウジング１０の下面における前後方向のほぼ中央位置には、図４に示すように、幅方向（左右方向）に長く延出するリテーナ装着孔２４が開口形成されている。詳しくはリテーナ装着孔２４は、下から見ると横長方形状をなし、ハウジング１０の左右の両側壁を余して全キャビティ１１を横切るようにして開口するとともに、ハウジング１０の上壁においては、凹溝１６の溝底とガイド溝１３と図３に示す左側縁部に形成された窓孔２５とに開口するように設定されている。
【００１９】
ハウジング１０におけるリテーナ装着孔２４の孔壁には、前後方向で対向する前後壁２４Ａ，２４Ｂ，２４Ｅ，２４Ｆがほぼ平行に切り立っており、このうち、図１１の（Ａ）及び（Ｂ）に示すものは、背面から見た場合（図２参照）における左側端部の前後壁２４Ａ，２４Ｂを、図１２の（Ａ）及び（Ｂ）に示すものは、背面から見た場合における右側端部の前後壁２４Ｅ，２４Ｆをあらわしている。そして、これらハウジング１０の幅方向の両端部に位置する前後壁２４Ａ，２４Ｂ，２４Ｅ，２４Ｆには、仮係止用及び本係止用の受け部２６，２７が内向きに（孔内に向けて）突出して形成されている。受け部２６，２７の形成位置は、背面から見た左側端部の前後壁２４Ａ，２４Ｂにおいては、上段側の左端キャビティ１１ＵＬの下方でかつ下段側の左端キャビティ１１ＢＬの左側方に設定されるとともに、背面から見た右側端部の前後壁２４Ｅ，２４Ｆにおいては、上段側の右端キャビティ１１ＵＲの右側方でかつ下段側の右端キャビティ１１ＢＲの上方に設定されている。つまり、受け部２６，２７の形成位置は、ハウジング１０において、上下方向で互い違い（幅方向で千鳥配置）となるキャビティ１１との干渉を避けたいわばデッドスペースに設定されている。
【００２０】
背面から見た右側端部の前後壁２４Ｅ，２４Ｆは、図１２の（Ａ）に示すように、窓孔２５に通じるよう上下方向に貫通して形成され、その上端側に、上記した仮係止用及び本係止用の受け部２６，２７が配されている。詳しくは本係止用の受け部２７は前壁２４Ｅに設定され、仮係止用の受け部２６は後壁２４Ｆに設定されており、本係止用の受け部２７が仮係止用の受け部２６よりも上位に位置するようになっている。一方、背面から見た左側端部の前後壁２４Ａ，２４Ｂは、図１１の（Ａ）に示すように、上端がハウジング１０の上壁によって閉止された状態で上下方向に延出して形成され、その下端側に、上記した仮係止用及び本係止用の受け部２６，２７が配されている。詳しくは本係止用の受け部２７は前壁２４Ａに設定され、仮係止用の受け部２６は後壁２４Ｂに設定されており、本係止用の受け部２７が仮係止用の受け部２６よりも上位に位置するようになっている。これら左右両側端部に一対ずつ計４つの受け部２６，２７は、いずれも、上面がほぼ水平な係止面５１とされる一方、下面が突出端側（内側）に向かって昇り勾配となるガイド面５２とされる。なお、背面から見た左側端部の両受け部２６，２７の係止面５１は、この面を形成するべく前後方向に貫通形成された型抜き孔２８の下面にほぼ面一で連なっている。
【００２１】
リテーナ３０は、図７乃至図１０に示すように、いわゆるサイドタイプのリテーナであって横長の格子状に形成され、下面がハウジング１０の下面から浮き上がる程度に浅く嵌合されることで雌端子金具６０のキャビティ１１内への挿抜を許容する仮係止位置（図１３の（Ａ）に示す状態）と、下面がハウジング１０の下面にほぼ面一で連続する程度に深く嵌合されることでキャビティ１１内に収容された雌端子金具６０を抜け止め状態で係止する本係止位置（図１３の（Ｂ）に示す状態）との間を移動可能とされる。リテーナ３０の内部には、本係止位置にて下段側のキャビティ１１を構成し得るキャビティ部３１が横一列に並設され、また、キャビティ潰し部１１Ｘとの対応位置に、下面に開口する切り欠き３２が形成されている。そして、リテーナ３０の上端には、本係止位置にて上段側のキャビティ１１の略下半部を構成し得るキャビティ部３１が同じく横一列に並設されている。このキャビティ部３１の下壁の前半部は、後半部よりも高位にあって、本係止位置にて雌端子金具６０の本体部６１のあご部６５に係止可能な係止部３３とされる。雌端子金具６０は、ランス１５とリテーナ３０とによる二重の係止を受けてキャビティ１１内に抜け止めされた状態で確実に保持されるようになっている。
【００２２】
さて、リテーナ３０の構造についてさらに詳しく説明すると、リテーナ３０の幅方向の両端部には、同リテーナ３０を仮係止位置と本係止位置とに留め置くための保持部３４Ｒ，３４Ｌが形成されている。
このうち背面から見た右側端部の保持部３４Ｒは、図９に示すように、本係止位置にてハウジング１０の上面に開口する窓孔２５に臨むことが可能なように高背化されている。この保持部３４Ｒの上端部には、一端が支持端とされるとともに他端が自由端とされた前後夫々の保持アーム３５Ａ，３５Ｂが形成されている。両保持アーム３５Ａ，３５Ｂは、支持端を支点として前後方向に弾性変位可能とされており、このうち前側（図９に示す右側）に配されたものは、本係止位置にてリテーナ３０を抜け止め状態で留め置くための本係止用の保持アーム３５Ａとされ、後側に配置されたものは、仮係止位置にてリテーナ３０を抜け止め状態で留め置くための仮係止用の保持アーム３５Ｂとされている。
【００２３】
この保持部３４Ｒにおける仮係止用及び本係止用の両保持アーム３５Ａ，３５Ｂは、支持端から自由端にかけて互いの延出方向を異にして構成されており、詳しくは、本係止用の保持アーム３５Ａが、支持端から自由端にかけて上方へ向けて延出して形成されている一方、仮係止用の保持アーム３５Ｂが、支持端から自由端にかけて下方へ向けて延出して形成されている。そして、この保持部３４Ｒには、両保持アーム３５Ａ，３５Ｂとの間に撓み空間Ｑを保有しつつ平行に配置された支持アーム３６が形成されており、支持アーム３６の下端が本係止用の保持アーム３５Ａの支持端となる下端に一体的に連結されているとともに、支持アーム３６の上端が仮係止用の保持アーム３５Ｂの支持端となる上端に一体的に連結されている。この支持アーム３６と仮係止用の保持アーム３５Ｂとの連結部３７は、背面から見た右側端部の保持部３４における上面を構成しており、窓孔２５を通してハウジング１０の外面に露出している。
【００２４】
一方、図１０に示すように、背面から見た左側端部の保持部３４Ｌには、下半部に、上記同様、一端が支持端とされるとともに他端が自由端とされた前後夫々の保持アーム３５Ａ，３５Ｂが形成されている。両保持アーム３５Ａ，３５Ｂのうち前側（図１０に示す左側）に配されたものは、本係止位置にてリテーナ３０を抜け止め状態で留め置くための本係止用の保持アーム３５Ａとされ、後側に配されたものは、仮係止位置にてリテーナ３０を抜け止め状態で留め置くための仮係止用の保持アーム３５Ｂとされている。本係止用の保持アーム３５Ａは、支持端から自由端にかけて上方へ向けて延出して形成されている一方、仮係止用の保持アーム３５Ｂは、支持端から自由端にかけて下方へ向けて延出して形成されている。そして、この保持部３４Ｌには、両保持アーム３５Ａ，３５Ｂとの間に撓み空間を保有しつつ平行に配された支持アーム３６が形成されており、支持アーム３６の上端が仮係止用の保持アーム３５Ｂの上端と一体的に連結されているとともに、支持アーム３６の下端が本係止用の保持アーム３５Ａの下端と一体的に連結されている。支持アーム３６と本係止用の保持アーム３５Ａとの連結部３８は、この保持部３４Ｌにおける下面を構成しており、リテーナ装着孔２４を閉止可能なように後方へ延長して形成されている。
【００２５】
このように、仮係止用及び本係止用の両保持アーム３５Ａ，３５Ｂはハウジング１０の左右両側端部に分かれて配置されているものの、本係止用の保持アーム３５Ａは上位に位置する本係止用の受け部２７と対応するよう支持端から自由端にかけて上方へ向けて延出して形成され、仮係止用の保持アーム３５Ｂは下位に位置する仮係止用の受け部２６と対応するよう支持端から自由端にかけて下方へ向けて延出して形成されており、この点でハウジング１０の左右両側端部において共通構造となっている。
【００２６】
また、仮係止用の保持アーム３５Ｂの自由端側には、仮係止用の受け部２６と係合可能なように外向きに突出する仮係止用の係止部４１が形成されている。仮係止用の係止部４１は、自由端側に向かって少しずつ肉厚を増すような形状をなし、その傾斜面が、仮係止位置へセットする過程で、仮係止用の受け部２６のガイド面５２と摺接してその乗り上げ動作を誘導する移動案内面４１Ａとされる。また、仮係止用の係止部４１の下面は、ほぼ水平な係止面４１Ｂとされ、仮係止位置にて仮係止用の受け部２６の係止面５１と緊密に係止可能とされる。
【００２７】
一方、本係止用の保持アーム３５Ａの自由端側には、本係止用の受け部２７と係合可能なように同じく外向きに突出する本係止用の係止部４２が形成されている。本係止用の係止部４２は、自由端側に向かって少しずつ肉厚を減ずるような形状をなし、その傾斜面が、仮係止位置から本係止位置へ向かう過程で、本係止用の受け部２７のガイド面５２と摺接してその乗り上げ動作を誘導する移動案内面４２Ａとされる。また、本係止用の係止部４２の下面は、ほぼ水平な係止面４２Ｂとされ、本係止位置にて本係止用の受け部２７の係止面５１と緊密に係止可能とされる。
【００２８】
次に、本実施形態の作用を説明する。まず、ハウジング１０の下面に開口するリテーナ装着孔２４に対して下方からリテーナ３０を差し入れて仮係止位置に留め置く。リテーナ３０を仮係止位置に留め置く過程では、仮係止用の保持アーム３５Ｂが内側に撓み変形してその係止部４１の移動案内面４１Ａを仮係止用の受け部２６のガイド面５２に摺接させる。リテーナ３０が仮係止位置に至ると、図１１の（Ａ）及び図１２の（Ａ）に示すように、仮係止用の保持アーム３５Ｂが復元してその係止部４１と仮係止用の受け部２６の両係止面４１Ｂ，５１が互いに当接し合い、リテーナ３０の抜け止めがなされる。この仮係止位置において、本係止用の保持アーム３５Ａは、その係止部４２の移動案内面４２Ａを本係止用の受け部２７のガイド面５２に対して下方から当接させた状態で配される。
【００２９】
リテーナ３０を仮係止位置に留め置くと、図１３の（Ａ）に示すように、リテーナ３０の係止部３３がキャビティ１１から退避した位置にあるので、この状態から、キャビティ１１内に雌端子金具６０を挿入可能となる。ここで、各雌端子金具６０は挿入すべきキャビティ１１が決まっており、かつ全てのキャビティ１１が埋められるわけではないので、作業者は、キャビティ１１の番地を示した作業表と照合させつつ雌端子金具６０を挿入する。この場合に、ハウジング１０の後面には各種目印２１，２２，２３が形成されていて、例えば所定の目印２１，２２，２３から何番目のキャビティ１１といったように、キャビティ１１の番地が視認し易くなっているから、雌端子金具６０を対応するキャビティ１１内に間違いなく挿入することができる。各雌端子金具６０がキャビティ１１内に正規深さで収容されると、各雌端子金具６０はランス１５によって一次係止される。
【００３０】
続いて、リテーナ３０をリテーナ装着孔２４内に深く差し込んで本係止位置に至らしめる。リテーナ３０が仮係止位置から本係止位置に向かう過程では、本係止用の保持アーム３５Ａが内側に撓み変形してその係止部４２の移動案内面４２Ａを本係止用に受け部２７のガイド面５２に摺接させる。リテーナ３０が本係止位置に至ると、図１１の（Ｂ）及び図１１の（Ｃ）に示すように、本係止用の保持アーム３５Ａが復元してその係止部４２と本係止用の受け部２７の両係止面４２Ｂ，５１が互いに当接し合い、リテーナ３０の抜け止めがなされる。この場合に、背面から見た左側端部の保持部３４Ｌにおける仮係止用及び本係止用の保持アーム３５Ａ，３５Ｂの両係止部４１，４２は、型抜き孔２８内に進入した状態で配され、同保持部３４Ｌの上端部は、リテーナ装着孔２４の孔壁上部にほぼ隙間なく嵌合して配される。こうしてリテーナ３０が本係止位置に至ると、図１３の（Ｂ）に示すように、リテーナ３０の係止部３３が雌端子金具６０の本体部６１のあご部６５後方に進入し、もって各雌端子金具６０が二次係止される。その後、ハウジング１０は、相手側となる図示しない雄ハウジングに嵌合され、正規深さまで嵌合されると、ロックアーム１２によって両ハウジングが正規嵌合状態にロックされる。このとき、対応する雌雄の両端子金具が正規に接触して電気的接続がとられる。
【００３１】
以上のように本実施形態によれば、リテーナ装着孔２４の孔壁において本係止用の受け部２７が仮係止用の受け部２６よりも上位つまりリテーナ３０の差し込み方向の前方に配置されており、これと対応するように、本係止用の保持アーム３５Ａがその支持端から自由端にかけて上方つまりリテーナ３０の差し込み方向に延出する構成とされ、仮係止用の保持アーム３５Ｂがその支持端から自由端にかけて下方つまりリテーナ３０の差し込み方向と逆方向に延出する構成とされている。したがって、仮係止用及び本係止用の両保持アーム３５Ａ，３５Ｂが同じ高さ位置の支持端から同一方向に延出する場合に比べ、仮係止用の保持アーム３５Ｂにおいても撓み変形動作をするに際して支障のない十分な延出長さを確保することが可能となり、結果、両保持アーム３５Ａ，３５Ｂの円滑な撓み変形動作が保障される。
【００３２】
また、仮係止用及び本係止用の両保持アーム３５Ａ，３５Ｂの係止部４１，４２の移動案内面４１Ａ，４２Ａと対応する受け部２６，２７のガイド面５２とが互いに摺接し合うことにより、両保持アーム３５Ａ，３５Ｂの円滑な撓み変形動作がより確実に保障される。
【００３３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明においては、上記実施形態とは逆に、リテーナ装着孔の孔壁において仮係止用の受け部が本係止用の受け部よりもリテーナの装着方向の前方に配置されることにより、仮係止用の保持アームがその支持端から自由端にかけてリテーナの差し込み方向に延出する構成とされ、本係止用の保持アームがその支持端から自由端にかけてリテーナの差し込み方向と逆方向に延出する構成とされてもよい。
（２）本発明は、雄端子金具を装着した雄コネクタ側にリテーナを備えたものにも同様に適用することができる。
【図面の簡単な説明】
【００３４】
【図１】本発明の実施形態１に係るハウジングの正面図
【図２】ハウジングの背面図
【図３】ハウジングの平面図
【図４】ハウジングの底面図
【図５】ハウジングの側面図
【図６】図２におけるＡ−Ａ断面図
【図７】リテーナの正面図
【図８】リテーナの背面図
【図９】図８におけるリテーナの左側面図
【図１０】図８におけるリテーナの右側面図
【図１１】（Ａ）図２のＢ−Ｂ線で切った場合において、リテーナが仮係止位置にあるときの断面図  （Ｂ）同じくリテーナが本係止位置にあるときの断面図
【図１２】（Ａ）図２のＣ−Ｃ線で切った場合において、リテーナが仮係止位置にあるときの断面図  （Ｂ）同じくリテーナが本係止位置にあるときの断面図
【図１３】（Ａ）図２のＤ−Ｄ線で切った場合において、リテーナが仮係止位置にあるときの断面図  （Ｂ）同じくリテーナが本係止位置にあるときの断面図
【図１４】従来例においてリテーナが本係止位置にあるときの側断面図
【符号の説明】
【００３５】
１０…ハウジング
２４…リテーナ装着孔
２６…仮係止用の受け部
２７…本係止用の受け部
３０…リテーナ
３５Ａ…本係止用の保持アーム
３５Ｂ…仮係止用の保持アーム
４１…仮係止用の係止部
４２…本係止用の係止部
５１…係止面
５２…ガイド面
【図１】
2006107820.tif 000003
【図２】
2006107820.tif 000004
【図３】
2006107820.tif 000005
【図４】
2006107820.tif 000006
【図５】
2006107820.tif 000007
【図６】
2006107820.tif 000008
【図７】
2006107820.tif 000009
【図８】
2006107820.tif 000010
【図９】
2006107820.tif 000011
【図１０】
2006107820.tif 000012
【図１１】
2006107820.tif 000013
【図１２】
2006107820.tif 000014
【図１３】
2006107820.tif 000015
【図１４】
2006107820.tif 000016